(57)【要約】【課題】ナビゲーション情報に対して適切な音楽データを選択してプレイリストを作成することができる携帯端末装置及び音楽選択システム並びに音楽選択方法の提供。【解決手段】音楽プレイヤー機能を備える携帯端末装置１０に、音楽データの再生順序を規定するプレイリストを管理するプレイリスト管理装置１１を設け、プレイリスト管理装置１１で、カーナビゲーション装置４０のナビゲーション情報管理装置４１から送信された目的地や到着予定時刻などのナビゲーション情報４１ａと、予め記憶された複数の音楽データの各々に関するタイトルや歌詞などの情報が記述された音楽関連情報１１ｂとに基づいて複数の音楽データの中から再生する音楽データを選択して最適プレイリスト１１ｃを作成する。これによりユーザ自らが煩雑な操作を行うことなくドライブなどに適した音楽データを簡単に再生することができる。【選択図】図１
2007095239.tif 000002
【特許請求の範囲】
【請求項１】
音楽データを再生する音楽プレイヤー機能と、目的地への案内を行うナビゲーション機能とを少なくとも備える携帯端末装置において、
前記音楽データの再生順序を規定するプレイリストを管理するプレイリスト管理手段を備え、
前記プレイリスト管理手段では、前記ナビゲーション機能で得られたナビゲーション情報と、予め記憶された複数の音楽データの各々に関する情報が記述された音楽関連情報とに基づいて、前記複数の音楽データの中から再生する音楽データを選択し、選択した音楽データに対する前記プレイリストを作成することを特徴とする携帯端末装置。
【請求項２】
前記プレイリスト管理手段では、前記ナビゲーション情報で特定されるキーワードが前記音楽関連情報に含まれている場合、又は、前記ナビゲーション情報で特定される時期と前記音楽関連情報で特定される時期とが略一致する場合に、該音楽データを再生する音楽データとして選択することを特徴とする請求項１記載の携帯端末装置。
【請求項３】
前記ナビゲーション情報は、現在地、目的地、前記現在地から前記目的地までのルート、現在時刻、前記目的地に到着する予定時刻、前記目的地に到着するまでの所要時間、前記目的地に向かう目的の中から選択される１以上の情報を含み、
前記音楽に関する情報は、前記音楽データに基づく楽曲のタイトル、歌詞、アーティスト、カテゴリ、演奏時間、ランキング、リリース日の中から選択される１以上の情報を含むことを特徴とする請求項１又は２に記載の携帯端末装置。
【請求項４】
音楽データを再生する音楽プレイヤー機能を少なくとも備える携帯端末装置と、目的地への案内を行うナビゲーション機能を備えるカーナビゲーション装置とが通信網で接続されてなる音楽選択システムにおいて、
前記携帯端末装置に、前記音楽データの再生順序を規定するプレイリストを管理するプレイリスト管理手段を備え、
前記プレイリスト管理手段では、前記カーナビゲーション装置の前記ナビゲーション機能から送信されたナビゲーション情報と、前記携帯端末装置に予め記憶された複数の音楽データの各々に関する情報が記述された音楽関連情報とに基づいて、前記複数の音楽データの中から再生する音楽データを選択し、選択した音楽データに対する前記プレイリストを作成することを特徴とする音楽選択システム。
【請求項５】
前記プレイリスト管理手段では、前記ナビゲーション情報で特定されるキーワードが前記音楽関連情報に含まれている場合、又は、前記ナビゲーション情報で特定される時期と前記音楽関連情報で特定される時期とが略一致する場合に、該音楽データを再生する音楽データとして選択することを特徴とする請求項４記載の音楽選択システム。
【請求項６】
前記ナビゲーション情報は、現在地、目的地、前記現在地から前記目的地までのルート、現在時刻、前記目的地に到着する予定時刻、前記目的地に到着するまでの所要時間、前記目的地に向かう目的の中から選択される１以上の情報を含み、
前記音楽に関する情報は、前記音楽データに基づく楽曲のタイトル、歌詞、アーティスト、カテゴリ、演奏時間、ランキング、リリース日の中から選択される１以上の情報を含むことを特徴とする請求項４又は５に記載の音楽選択システム。
【請求項７】
音楽データを再生する音楽プレイヤー機能と、目的地への案内を行うナビゲーション機能と、前記音楽データの再生順序を規定するプレイリストを管理するプレイリスト管理手段とを少なくとも備える携帯端末装置を用いた音楽選択方法であって、
複数の音楽データ及び前記複数の音楽データの各々に関する情報が記述された音楽関連情報を記憶するステップと、
前記ナビゲーション機能を用いてナビゲーション情報を取得するステップと、
前記ナビゲーション情報と前記音楽関連情報とに基づいて、前記複数の音楽データの中から再生する音楽データを選択するステップと、
選択した音楽データに対する前記プレイリストを作成するステップと、を少なくとも有することを特徴とする音楽選択方法。
【請求項８】
音楽データを再生する音楽プレイヤー機能と前記音楽データの再生順序を規定するプレイリストを管理するプレイリスト管理手段とを少なくとも備える携帯端末装置と、目的地への案内を行うナビゲーション機能を備えるカーナビゲーション装置とを用いた音楽選択方法であって、
前記携帯端末装置に、複数の音楽データ及び前記複数の音楽データの各々に関する情報が記述された音楽関連情報を記憶するステップと、
前記カーナビゲーション装置の前記ナビゲーション機能を用いてナビゲーション情報を取得するステップと、
前記カーナビゲーション装置から送信された前記ナビゲーション情報と、予め記憶された前記音楽関連情報とに基づいて、前記複数の音楽データの中から再生する音楽データを選択するステップと、
選択した音楽データに対する前記プレイリストを作成するステップと、を少なくとも有することを特徴とする音楽選択方法。
【請求項９】
前記音楽データを選択するステップでは、前記ナビゲーション情報で特定されるキーワードが前記音楽関連情報に含まれている場合、又は、前記ナビゲーション情報で特定される時期と前記音楽関連情報で特定される時期とが略一致する場合に、該音楽データを再生する音楽データとして選択することを特徴とする請求項７又は８に記載の音楽選択システム。
【請求項１０】
前記ナビゲーション情報は、現在地、目的地、前記現在地から前記目的地までのルート、現在時刻、前記目的地に到着する予定時刻、前記目的地に到着するまでの所要時間、前記目的地に向かう目的の中から選択される１以上の情報を含み、
前記音楽に関する情報は、前記音楽データに基づく楽曲のタイトル、歌詞、アーティスト、カテゴリ、演奏時間、ランキング、リリース日の中から選択される１以上の情報を含むことを特徴とする請求項７乃至９のいずれか一に記載の音楽選択方法。
【発明の詳細な説明】
【技術分野】
【０００１】
本発明は、携帯端末装置及び音楽選択システム並びに音楽選択方法に関し、特に、ナビゲーション情報を利用して音楽データを選択する携帯端末装置及び音楽選択システム並びに音楽選択方法に関する。
【背景技術】
【０００２】
近年、ダウンロードした音楽データを再生する音楽プレイヤー機能などの様々な機能を備えた携帯端末装置が提供されている。この音楽プレイヤー機能付き携帯端末装置では、予め音楽データの再生順序を規定するプレイリストを作成しておき、このプレイリストに基づいて音楽データを再生することができることから、例えば、ドライブに際して車内で音楽データを再生する用途などに利用することができる。
【０００３】
上記車内での音楽データの再生に関して、例えば下記特許文献１には、音楽再生装置から音楽再生に関する情報を受信可能な音楽情報入力手段と、音楽情報入力手段から音楽再生装置による音楽再生中の曲の演奏残り時間が与えられると、その演奏残り時間が目的地に到達するまでの所要時間若しくは到着予想時刻までの時間よりも長い場合に、少なくとも演奏残り時間が経過してから目的地に到達するように経路の再計算処理を行う経路再演算手段とを設けたカーナビゲーション装置が開示されている。
【０００４】
【特許文献１】特開２００４−３４０７２７号公報（第４−７頁、第１図）
【発明の開示】
【発明が解決しようとする課題】
【０００５】
ここで、ドライブ時に音楽データを再生する場合には、現在地や目的地、目的地までのルート、目的地までの所要時間、現在時刻、到着時刻、ドライブの目的などに適合した音楽データを再生することができれば快適にドライブを楽しむことができるが、携帯端末装置に予め記録されている多数の音楽データの中から所望の音楽データを選択してプレイリストを作成するのは容易ではなく、操作に手間がかかるという問題がある。
【０００６】
また、特許文献１記載のカーナビゲーション装置は、音楽データの再生時間に合わせて目的地までの経路を設定するものであり、ナビゲーション情報に対して、適切な音楽データを選択したり、プレイリストを作成することはできない。
【０００７】
本発明は、上記問題点に鑑みてなされたものであって、その主たる目的は、ナビゲーション情報に対して適切な音楽データを選択してプレイリストを作成することができる携帯端末装置及び音楽選択システム並びに音楽選択方法を提供することにある。
【課題を解決するための手段】
【０００８】
上記目的を達成するため、本発明は、音楽データを再生する音楽プレイヤー機能と、目的地への案内を行うナビゲーション機能とを少なくとも備える携帯端末装置において、前記音楽データの再生順序を規定するプレイリストを管理するプレイリスト管理手段を備え、前記プレイリスト管理手段では、前記ナビゲーション機能で得られたナビゲーション情報と、予め記憶された複数の音楽データの各々に関する情報が記述された音楽関連情報とに基づいて、前記複数の音楽データの中から再生する音楽データを選択し、選択した音楽データに対する前記プレイリストを作成するものである。
【０００９】
また、本発明は、音楽データを再生する音楽プレイヤー機能を少なくとも備える携帯端末装置と、目的地への案内を行うナビゲーション機能を備えるカーナビゲーション装置とが通信網で接続されてなる音楽選択システムにおいて、前記携帯端末装置に、前記音楽データの再生順序を規定するプレイリストを管理するプレイリスト管理手段を備え、前記プレイリスト管理手段では、前記カーナビゲーション装置の前記ナビゲーション機能から送信されたナビゲーション情報と、前記携帯端末装置に予め記憶された複数の音楽データの各々に関する情報が記述された音楽関連情報とに基づいて、前記複数の音楽データの中から再生する音楽データを選択し、選択した音楽データに対する前記プレイリストを作成するものである。
【００１０】
本発明においては、前記プレイリスト管理手段では、前記ナビゲーション情報で特定されるキーワードが前記音楽関連情報に含まれている場合、又は、前記ナビゲーション情報で特定される時期と前記音楽関連情報で特定される時期とが略一致する場合に、該音楽データを再生する音楽データとして選択する構成とすることができる。
【００１１】
また、本発明の方法は、音楽データを再生する音楽プレイヤー機能と、目的地への案内を行うナビゲーション機能と、前記音楽データの再生順序を規定するプレイリストを管理するプレイリスト管理手段とを少なくとも備える携帯端末装置を用いた音楽選択方法であって、複数の音楽データ及び前記複数の音楽データの各々に関する情報が記述された音楽関連情報を記憶するステップと、前記ナビゲーション機能を用いてナビゲーション情報を取得するステップと、前記ナビゲーション情報と前記音楽関連情報とに基づいて、前記複数の音楽データの中から再生する音楽データを選択するステップと、選択した音楽データに対する前記プレイリストを作成するステップと、を少なくとも有するものである。
【００１２】
また、本発明の方法は、音楽データを再生する音楽プレイヤー機能と前記音楽データの再生順序を規定するプレイリストを管理するプレイリスト管理手段とを少なくとも備える携帯端末装置と、目的地への案内を行うナビゲーション機能を備えるカーナビゲーション装置とを用いた音楽選択方法であって、前記携帯端末装置に、複数の音楽データ及び前記複数の音楽データの各々に関する情報が記述された音楽関連情報を記憶するステップと、前記カーナビゲーション装置の前記ナビゲーション機能を用いてナビゲーション情報を取得するステップと、前記カーナビゲーション装置から送信された前記ナビゲーション情報と、予め記憶された前記音楽関連情報とに基づいて、前記複数の音楽データの中から再生する音楽データを選択するステップと、選択した音楽データに対する前記プレイリストを作成するステップと、を少なくとも有するものである。
【００１３】
本発明においては、前記音楽データを選択するステップでは、前記ナビゲーション情報で特定されるキーワードが前記音楽関連情報に含まれている場合、又は、前記ナビゲーション情報で特定される時期と前記音楽関連情報で特定される時期とが略一致する場合に、該音楽データを再生する音楽データとして選択する構成とすることができる。
【００１４】
また、本発明においては、前記ナビゲーション情報は、現在地、目的地、前記現在地から前記目的地までのルート、現在時刻、前記目的地に到着する予定時刻、前記目的地に到着するまでの所要時間、前記目的地に向かう目的の中から選択される１以上の情報を含み、前記音楽に関する情報は、前記音楽データに基づく楽曲のタイトル、歌詞、アーティスト、カテゴリ、演奏時間、ランキング、リリース日の中から選択される１以上の情報を含むことが好ましい。
【００１５】
このように、本発明では、カーナビゲーション装置や携帯端末装置のナビゲーション機能と連動して、現在地や目的地、目的地までのルートなどの場所情報、目的地までの所要時間、現在時刻、到着時刻などの時間情報、ドライブの目的などのナビゲーション情報と、予め記憶された複数の音楽データの各々に関する情報が記述された音楽関連情報とに基づいて、複数の音楽データの中から所定の音楽データを選択してプレイリストを作成するため、ユーザ自らが音楽データの選択やプレイリストの作成などの操作を行うことなく、ドライブなどに適した音楽データを再生することができる。
【発明の効果】
【００１６】
本発明の携帯端末装置及び音楽選択システム並びに音楽選択方法によれば、携帯端末装置内の膨大な音楽データを保存している場合であっても、ユーザ自らが音楽データの選択やプレイリストの作成などの操作を行うことなく、ドライブなどに適した音楽データを再生することができる。
【００１７】
その理由は、カーナビゲーション装置や携帯端末装置のナビゲーション情報管理装置から現在地や目的地、目的地までのルートなどの場所情報、目的地までの所要時間、現在時刻、到着時刻などの時間情報、ドライブの目的などのナビゲーション情報を取得し、取得したナビゲーション情報と携帯端末装置に予め記録された複数の音楽データの各々に関する情報が記述された音楽関連情報とに基づいて、複数の音楽データの中から所定の音楽データを選択してプレイリストを作成するからである。
【発明を実施するための最良の形態】
【００１８】
従来技術で示したように、音楽プレイヤー機能付き携帯端末装置が普及しており、この携帯端末装置を用いてドライブ中に車内で音楽データを再生する場合には、ドライブの前にユーザ自らが音楽データを選択してプレイリストを作成しなければならず、操作に手間がかかるという問題があった。そこで、本発明では、音楽プレイヤー機能付携帯端末装置をナビゲーション機能に連動させ、携帯端末装置に予め登録されている膨大な音楽データの中から、ナビゲーション情報に適合した音楽データを自動的に選択させてプレイリストを作成させるようにする。
【００１９】
例えば、ユーザが音楽プレイヤー機能付携帯端末装置をカーナビゲーション装置やカーオーディオ装置に接続した後、カーナビゲーション装置に目的地を入力すると、現在地や目的地、目的地までのルートなどの場所情報、目的地までの所要時間、現在時刻、到着時刻などの時間情報、ドライブの目的などのナビゲーション情報が作成されて携帯端末装置に送信され、携帯端末装置では、このナビゲーション情報と携帯端末装置に予め登録されている複数の音楽データの各々に関する情報が記述された音楽関連情報とに基づいて、複数の音楽データの中からナビゲーション情報に適合した音楽データを選択してプレイリストを作成する。
【００２０】
また、音楽プレイヤー機能付携帯端末装置にナビゲーション機能を備えている場合は、携帯端末装置自身で上記ナビゲーション情報を作成し、このナビゲーション情報と音楽関連情報とに基づいて、複数の音楽データの中からナビゲーション情報に適合した音楽データを選択してプレイリストを作成する。
【００２１】
これにより、携帯端末装置に膨大な音楽データを保存している場合であっても、ユーザ自らが音楽データの選択やプレイリストの作成などの操作を行うことなく、ナビゲーション情報に適合したＢＧＭを聞くことが可能となり、目的地までのドライブを楽しむことができる。
【実施例１】
【００２２】
上記した本発明の実施の形態についてさらに詳細に説明すべく、本発明の第１の実施例に係る携帯端末装置及び音楽選択システム並びに音楽選択方法について、図１乃至図７を参照して説明する。図１は、本実施例に係る音楽選択システムの構成を模式的に示す図である。また、図２は、プレイリストの構成例を示す図、図３は音楽関連情報の構成例を示す図、図４は、ナビゲーション情報の構成例を示す図であり、図５は、本実施例の音楽選択方法を用いて作成された最適プレイリストの構成例を示す図である。また、図６は、プレイリストの作成手順を示すフロー図であり、図７は、ナビゲーション情報が変更された場合の動作を示すフロー図である。
【００２３】
図１に示すように、本実施例の音楽選択システム１００は、携帯電話機などの携帯端末装置１０と、音楽配信サーバなどのコンテンツ配信局２０と、カーナビゲーション装置４０と、これらを有線又は無線で接続する通信網３０とを含んでいる。
【００２４】
携帯端末装置１０は、音声通話機能などの通常の機能に加えて、音楽データを記録し、再生する音楽プレイヤー機能を搭載しており、更に、音楽データを選択し、プレイリストを作成するためのプレイリスト管理装置１１を搭載している。また、カーナビゲーション装置４０には、目的地を設定すると、現在地や目的地、目的地までのルートなどの場所情報、目的地までの所要時間、現在時刻、到着時刻などの時間情報、ドライブの目的などのナビゲーション情報を管理し、携帯端末装置１０へ転送するナビゲーション情報管理装置４１を搭載している。
【００２５】
なお、本実施例の音楽選択システム１００は図１の構成に限定されず、例えば、コンピュータ機器などを用いて音楽データをダウンロードし、ダウンロードした音楽データを通信網３０を用いて携帯端末装置１０に転送したり、メディアなどの記録手段を用いて携帯端末装置１０に記録させる構成とすることもできる。
【００２６】
また、プレイリスト管理装置１１は、図２に示すようなプレイリスト１１ａと図３に示すような音楽関連情報１１ｂとを記憶している。このプレイリスト１１ａは、例えば、音楽データの再生順序を示す「プレイリストＮｏ」、「タイトル」、「アーティスト」、「入手日時」などで構成され、音楽関連情報１１ｂは、音楽を識別するための「ＩＤ」、「タイトル」、音楽を分類するための「カテゴリ」、「演奏時間」、「ランキング」、「リリース日」、「歌詞」などで構成される。そして、音楽データを携帯端末装置１０でダウンロードする際に、プレイリスト１１ａと音楽関連情報１１ｂとをプレイリスト管理装置１１に保存する。
【００２７】
また、カーナビゲーション管理装置４１は、図４に示すようなナビゲーション情報４１ａを記憶している。このナビゲーション情報４１ａは、「現在地」、「目的地」、「目的」、「目的地までのルート」、「到着予定時刻」、「現在時刻」などで構成される。
【００２８】
なお、上記プレイリスト１１ａ、音楽関連情報１１ｂ、ナビゲーション情報４１ａは例示であり、図２乃至図４に示す項目の全てを含む必要はなく、また、図２乃至図４に示す項目以外の項目を含んでいてもよい。
【００２９】
そして、携帯端末装置１０をカーナビゲーション装置４０に接続し、カーナビゲーション装置４０に目的地などを入力すると、その入力情報からルートや到着予定時刻などのナビゲーション情報４１ａが作成され、作成されたナビゲーション情報４１ａが携帯端末装置１０のプレイリスト管理装置１１に送信される。そしてプレイリスト管理装置１１は、後述する方法を用いて、受信したナビゲーション情報４１ａと予め記憶された音楽関連情報１１ｂとに基づいて音楽データを選択し、最適プレイリスト１１ｃを作成する。
【００３０】
次に、図６のフロー図を参照して、音楽関連情報１１ｂとナビゲーション情報４１ａとを用いて、最適プレイリスト１１ｃを作成する手順について具体的に説明する。
【００３１】
まず、携帯端末装置１０は、通信網３０を介してコンテンツ配信局２０から音楽データをダウンロードし（Ａ１）、音楽データと該音楽データに関連する音楽関連情報１１ｂを保存する（Ａ２）。次に、ユーザが携帯端末装置１０をカーナビゲーション装置４０やカーオーディオ装置に接続し、カーナビゲーション装置４０に目的地など入力してルート設定など行い（Ａ３）、現在地や目的地、目的地までのルートなどの場所情報、目的地までの所要時間、現在時刻、到着時刻などの時間情報、ドライブの目的などのナビゲーション情報４１ａをカーナビゲーション情報管理装置４１にて保持しておき（Ａ４）、このナビゲーション情報４１ａを携帯端末装置１０のプレイリスト管理装置１１へ送信する（Ａ５）。
【００３２】
プレイリスト管理装置１１は、送信されたナビゲーション情報４１ａと予め記憶した音楽関連情報１１ｂとを比較して、その比較結果に基づいて予め記憶した音楽データの中からナビゲーション情報４１ａに適した音楽データを選択する。
【００３３】
具体的には、ナビゲーション情報４１ａの「現在地」、「目的地」、「目的地までのルート」などの場所情報や「目的」で特定されるキーワード（例えば、図４の例では目的地の”ビーチ”や目的の”海水浴”）が、音楽関連情報１１ｂの「タイトル」や「歌詞」に含まれているかを調べ、上記キーワードが含まれている場合に、その音楽データをピックアップする。また、上記キーワードで特定される季節（図４の例では”夏”）と音楽関連情報１１ｂの「リリース日」とを比較して、上記季節にリリースされた音楽データをピックアップする。また、ナビゲーション情報４１ａの「現在時刻」と音楽関連情報１１ｂの「リリース日」とを比較して、「現在時刻」に近い順に優先度を設定したり、「ランキング」が高い順に優先度を設定するなどして、ピックアップした音楽データの再生順を決定する。また、ナビゲーション情報４１ａの「到着予定時刻」と「現在時刻」から目的地までの所要時間を算出し、算出した所要時間と音楽関連情報１１ｂの「演奏時間」とを比較し、音楽の演奏時間のトータルが所要時間内になるように音楽データを選択する。
【００３４】
なお、音楽データの選択方法は上記記載に限定されず、ナビゲーション情報４１ａに適した音楽データを選択可能な方法であればよく、例えば、ナビゲーション情報４１ａの「到着予定時刻」や「現在時刻」と音楽関連情報１１ｂの「カテゴリ」とを比較して、時刻に応じてカテゴリを選択する（例えば、時刻は”午前”であれば”ロック”、”午後”であれば”ポップ”を選択する）などの方法を用いることもできる。
【００３５】
その後、プレイリスト管理装置１１は、選択した音楽データを設定した優先順位で再生するための最適プレイリスト１１ｃを作成し（Ａ６）、この最適プレイリスト１ｃをカーナビゲーション装置４０に送信し（Ａ７）、カーナビゲーション装置４０は最適プレイリスト１ｃに従って音楽データを再生する（Ａ８）。
【００３６】
次に、ナビゲーション情報を更新した場合の動作について、図７を用いて説明する。
【００３７】
まず、携帯端末装置１０は、音楽データと音楽関連情報１１ｂを保持する（Ｂ１）。次に、渋滞やルート変更などによりカーナビゲーション装置４０のナビゲーション情報４１ａが変更された場合は、そのナビゲーション情報４１ａをカーナビゲーション情報管理装置４１にて保持し（Ｂ２）、変更されたナビゲーション情報４１ａを携帯端末装置１０のプレイリスト管理装置１１へ送信する（Ｂ３）。次に、プレイリスト管理装置１１は、送信されたナビゲーション情報４１ａと予め記憶された音楽関連情報１１ｂとを比較し、上記方法を用いてナビゲーション情報４１ａに適した音楽データを選択し、最適プレイリスト１１ｃを作成する（Ｂ４）。その後、最適プレイリスト１１ｃをカーナビゲーション装置４０に送信し（Ｂ５）、カーナビゲーション装置４０は最適プレイリスト１ｃに従って音楽データを再生する（Ｂ６）。
【００３８】
なお、図６及び図７のフローでは、最適プレイリスト１１ｃをカーナビゲーション装置４０に送信し、カーナビゲーション装置４０は最適プレイリスト１ｃに従って音楽データを再生するものとしたが、最適プレイリスト１１ｃをオーディオ装置に送信し、オーディオ装置で最適プレイリスト１ｃに従って音楽データを再生してもよいし、携帯端末装置１０で最適プレイリスト１ｃに従って音楽データを再生し、カーナビゲーション装置４０やオーディオ装置から出力させる構成としてもよい。
【００３９】
このように、本実施例の携帯端末装置１０にはプレイリスト管理装置１１が設けられており、プレイリスト管理装置１１では、カーナビゲーション装置４０のナビゲーション情報管理装置４１から、現在地や目的地、目的地までのルートなどの場所情報、目的地までの所要時間、現在時刻、到着時刻などの時間情報、ドライブの目的などのナビゲーション情報４１ａを取得し、そのナビゲーション情報４１ａと予め記憶された音楽関連情報１１ｂとに基づいて複数の音楽データの中から適切な音楽データを選択して最適プレイリスト１１ｃを作成するため、ユーザ自らが音楽データの選択やプレイリストの作成などの操作を行うことなく、ドライブなどに適した音楽データを再生することができる。
【実施例２】
【００４０】
次に、本発明の第２の実施例に係る携帯端末装置及び音楽選択システム並びに音楽選択方法について、図８及び図９を参照して説明する。図８は、本実施例に係る音楽選択システムの構成を模式的に示す図であり、図９は、プレイリストの作成手順を示すフロー図である。
【００４１】
前記した第１の実施例では、カーナビゲーション装置４０を用いてナビゲーション情報４１ａを作成したが、近年の携帯端末装置１０にはＧＰＳ機能を持ったものもあり、このＧＰＳ機能を用いてユーザを目的地までナビゲーションすることもできる。そこで、本実施例では、ナビゲーション機能を有する携帯端末装置１０を利用して音楽データを選択する場合について記載する。
【００４２】
図８に示すように、本実施例の音楽選択システム１００は、携帯電話機などの携帯端末装置１０と、音楽配信サーバなどのコンテンツ配信局２０と、これらを有線又は無線で接続する通信網３０とを含んでいる。
【００４３】
携帯端末装置１０は、音声通話機能などの通常の機能に加えて、音楽データを記録し、再生する音楽プレイヤー機能を搭載しており、更に、音楽データを選択し、プレイリストを作成するためのプレイリスト管理装置１１と、現在地や目的地、目的地までのルートなどの場所情報、目的地までの所要時間、現在時刻、到着時刻などの時間情報、ドライブの目的などのナビゲーション情報を管理するナビゲーション情報管理装置１２を搭載している。
【００４４】
なお、図８は、本実施例の音楽選択システム１００の一例であり、第１の実施例と同様に、例えば、コンピュータ機器などを用いて音楽データをダウンロードし、ダウンロードした音楽データを通信網３０を用いて携帯端末装置１０に転送したり、メディアなどの記録手段を用いて携帯端末装置１０に記録させる構成としてもよい。
【００４５】
次に、図９のフロー図を参照して、音楽関連情報１１ｂとナビゲーション情報４１ａとを用いて、最適プレイリスト１１ｃを作成する手順について具体的に説明する。
【００４６】
まず、携帯端末装置１０は、通信網３０を介してコンテンツ配信局２０から音楽をダウンロードし（Ｃ１）、音楽データと該音楽データに関連する音楽関連情報１１ｂを保存する（Ｃ２）。次に、ユーザが携帯端末装置１０にて目的地などルート設定を行い（Ｃ３）、現在地や目的地、目的地までのルートなどの場所情報、目的地までの所要時間、現在時刻、到着時刻などの時間情報、ドライブの目的などのナビゲーション情報４１ａを作成してナビゲーション情報管理装置１２にて保持しておき（Ｃ４）、このナビゲーション情報１１ａをプレイリスト管理装置１１へ送信する（Ｃ５）。
【００４７】
プレイリスト管理装置１１は、第１の実施例と同様の方法を用いて、送信されたナビゲーション情報４１ａと予め記憶した音楽関連情報１１ｂとを比較して、その比較結果に基づいて複数の音楽データの中からナビゲーション情報４１ａに適した音楽データを選択し、優先順位の設定を行う。その後、プレイリスト管理装置１１は、選択した音楽データを設定した優先順位で再生するための最適プレイリスト１１ｃを作成する（Ｃ６）。また、ナビゲーション情報を更新した場合は、第１の実施例と同様に、変更されたナビゲーション情報４１ａに基づいて最適プレイリスト１１ｃを作成する。
【００４８】
このように、本実施例の携帯端末装置１０にはプレイリスト管理装置１１とナビゲーション情報管理装置１２とが設けられており、プレイリスト管理装置１１では、ナビゲーション情報管理装置１２から、現在地や目的地、目的地までのルートなどの場所情報、目的地までの所要時間、現在時刻、到着時刻などの時間情報、ドライブの目的などのナビゲーション情報４１ａを取得し、そのナビゲーション情報４１ａと予め記憶された音楽関連情報１１ｂとに基づいて複数の音楽データの中から適切な音楽データを選択して最適プレイリスト１１ｃを作成するため、ユーザ自らが音楽データの選択やプレイリストの作成などの操作を行うことなく、ドライブなどに適した音楽データを再生することができる。
【産業上の利用可能性】
【００４９】
本発明は携帯電話機やＰＤＡなどに限らず、音楽を再生するための端末、ゲーム機などの任意の携帯機器に適用することができる。
【図面の簡単な説明】
【００５０】
【図１】本発明の第１の実施例に係る音楽選択システムの構成を模式的に示す図である。
【図２】本発明の第１の実施例に係るプレイリスト管理装置で管理するプレイリストの例を示す図である。
【図３】本発明の第１の実施例に係るプレイリスト管理装置で管理する音楽関連情報の例を示す図である。
【図４】本発明の第１の実施例に係るプレイリスト管理装置で管理するナビゲーション情報の例を示す図である。
【図５】本発明の第１の実施例に係るプレイリスト管理装置で管理する最適プレイリストの例を示す図である。
【図６】本発明の第１の実施例に係るプレイリストの作成手順を示すフロー図である。
【図７】本発明の第１の実施例に係るプレイリストの変更手順を示すフロー図である。
【図８】本発明の第２の実施例に係る音楽選択システムの構成を模式的に示す図である。
【図９】本発明の第２の実施例に係るプレイリストの作成手順を示すフロー図である。
【符号の説明】
【００５１】
１０  携帯端末装置
１１  プレイリスト管理装置
１１ａ  プレイリスト
１１ｂ  音楽関連情報
１１ｃ  最適プレイリスト
１２  カーナビゲーション管理装置
２０  コンテンツ配信局
３０  通信網
４０  カーナビゲーション装置
４１  カーナビゲーション管理装置
４１ａ  ナビゲーション情報
１００  音楽選択システム
【図１】
2007095239.tif 000003
【図２】
2007095239.tif 000004
【図３】
2007095239.tif 000005
【図４】
2007095239.tif 000006
【図５】
2007095239.tif 000007
【図６】
2007095239.tif 000008
【図７】
2007095239.tif 000009
【図８】
2007095239.tif 000010
【図９】
2007095239.tif 000011